(57)【要約】【課題】チャンネルサーバに用いる画像記録再生装置に於いて、メモリカードに記憶された静止画像を表示装置画面上に自動的にスライドショーとして再生表示させる。【解決手段】メモリカード１２６に記憶させた複数の静止画像をスライドショーとして表示装置３００に再生表示する際に装置本体１００の挿入口１２５にメモリカード１２６を挿入して置き、装置本体１００の主電源投入時にコントローラ１２１はメモリカード１２６に記録したファイル名等を読み取って、ファイル名があれば自動的にスライドショーを行なう。【選択図】        図８
2004336682.tif 000002
【特許請求の範囲】
【請求項１】
少なくとも画像データを記憶可能な外部記憶媒体が装着出来る挿入口を有する画像記録再生装置であって、
上記画像記録再生装置の各回路を駆動する電源手段と、
上記電源手段の投入及び上記外部記録媒体の挿入状態を制御する画像制御手段と、
上記画像データを表示可能な表示手段とを具備し、
上記画像制御手段は上記電源手段の投入時に上記外部記憶媒体内に予め定めた文章ファイルを読み取って該外部記憶媒体内に記憶させた複数の画像を上記表示装置に順次表示させて成ることを特徴とする画像記録再生装置。
【請求項２】
前期文章ファイルはテキストファイル或はバイナリファイルであることを特徴とする請求項１記載の画像記録再生装置。
【請求項３】
前記複数の画像を順次表示後に行われる通常動作の後に前記画像記録再生装置で行われるリセット動作、スタート動作、スタンバイ動作から前記外部記録媒体が前記挿入口に挿入されていれば前記画像制御手段は再び該複数の画像を順次、前記表示手段に表示させる様に成したことを特徴とする請求項１記載の画像記録再生装置。
【請求項４】
少なくとも画像データを記憶可能な外部記憶媒体が装着された画像記録再生装置の制御方法であって、上記画像記録再生装置の各回路を電源手段で駆動し、該電源手段の投入及び上記外部記憶媒体の挿入状態を画像制御手段で制御し、上記画像データを表示手段に表示するように成し、
上記画像制御手段は上記電源手段の投入時に上記外部記録媒体内に予め定めた文章ファイルを読み取って上記外部記憶媒体内に記憶させた複数の画像を上記表示手段に順次表示させて成ることを特徴とする画像記録再生装置の制御方法。
【請求項５】
前記文章ファイルはテキストファイル或はバイナリファイルであることを特徴とする請求項４記載の画像記録再生装置の制御方法。
【請求項６】
前記複数の画像を順次表示後に行われる通常動作の後に前記画像記録再生装置で行われるリセット動作、スタート動作、スタンバイ動作から前記外部記録媒体が前記挿入口に挿入されていれば前記画像制御手段は再び該複数の画像を順次、前記表示手段に表示させる様に成したことを特徴とする請求項４記載の画像記録再生装置の制御方法。
【発明の詳細な説明】
【０００１】
【発明の属する技術分野】
本発明は外部記憶媒体が挿入可能なカードスロット等の挿入口を有する画像記録再生装置及び画像記録再生装置の制御方法に係わり、特に、外部記憶媒体内に記憶された複数の画像を連続的に順次表示装置に表示させるように成した画像記録再生装置及び画像記録再生装置の制御方法に関する。
【０００２】
【従来の技術】
従来からデジタルカメラ等で外部記憶媒体（以下メモリカードと記す）内にデジタルカメラで撮像した複数の画像データを記憶させ、これら複数の画像データをデジタルカメラやデジタル画像再生装置等の表示部に表示させる様に成したものが広く利用されている。
【０００３】
例えば、デジタルカメラで撮像された画像データ或は再生専用の画像データが記憶されたメモリカード内の画像を順次連続的に表示装置に表示させるスライドショーを行わせる様に成したデジタル画像再生装置及びデジタルカメラが特許文献１及び特許文献２に開示されている。
【０００４】
特許文献１にはフラッシュメモリ、フラッシュメモリを搭載したＰＣカード、等の外部記憶媒体（メモリカード）がデジタル再生装置のカードの挿入口に挿入されると、カードの挿入口に備えられている機械スイッチが挿入状態を検知して、メモリカードの挿入をデジタル再生装置内の制御コンピュータ（ＣＰＵ）に知らせると、デジタル再生装置内のすべての回路ブロックに電源供給する様に成され、メモリカード内の画像を見る為に画面上に表示された処理選択メニューに表示された「スライドショー」を選択するとＣＰＵはメモリカードにおける各画像ファイルの中の画像を順に再生する処理を行って、表示装置に順次表示させることで挿入されたメモリカードに画像ファイルが存在する場合、再生ソフトを立ち上げて画像再生を行う旨の記載がある。
【０００５】
又、特許文献２にはデジタルカメラに於いて、撮影モードと再生モードを切換える際に撮影用のメモリカード及び再生用の、メモリカードをカードの挿入口に挿入すると自動的に切り換わり、再生モードでスライドショーを行うことが出来る旨の記載がある。
【０００６】
即ち、特許文献２に於いては、撮影用及び再生用メモリカードの他に「スライドショー」等の特殊な再生を行うための再生プログラムを記録した再生用プログラムカードやブラケット撮影等の特殊な撮影を行うための撮影用プログラムカード等を用意し、再生モードでは、たとえば上述の再生プログラムカードをメモリカードを装着すると、再生プログラムが実行される。その再生プログラムをデジタルカメラ内のＣＰＵが実行することで異なる処理や再生を行うことができるようになる。例えば、スライドショーによる再生を行う再生用プログラムカードが装着された場合、直接、複数の撮影済み画像で連続して表示されるスライドショーが行われるといった具合である。この記載のように、再生用プログラムを記憶した再生用プログラムカードを挿入した場合、プログラムを読み出して再生プログラムを実行する様に成されている。
【０００７】
【特許文献１】
特開平１１−２７５５０３号公報
〔段落番号〔００４５〕及び〔００６５〕、図５〕
【特許文献２】
特開２００１−２５１５３８号公報
〔段落番号〔００９６〕及び〔０１３２〕、図１１〕
【０００８】
【発明が解決しようとする課題】
上述の特許文献１に開示された記載ではスライドショーを開始する場合にはＰＣカード等のメモリカードがデジタル再生装置のカードの挿入口に装着されると、このメモリカード挿入口に設けた機械的スイッチがメモリカードの挿入状態を検知して、挿入されたメモリカードに画像ファイルが存在する場合に再生ソフトウェアを立ち上げて画像のスライドショーを行う様に成されているため、デジタル再生装置等のメモリカードを装着する側に機械的スイッチ等のメモリカードの装着の有無を検出するセンサを必要とする課題を有している。
【０００９】
また、特許文献２に開示された記載ではスライドショーを開始するためにはメモリカードに再生用プログラムを記憶した再生用プログラムカードを必要とする課題を有している。
【００１０】
本発明は叙上の課題を解消するために成されたものであり、発明が解決しようとする課題は店頭等でデモを行なう時に自動的にスライドショーを行うメモリカードを機器本体に装着した状態で、毎朝、電源を投入するだけで、自動的にスライドショーを表示装置に表示することができる極めて便利に使用可能である画像記録再生装置及び画像記録再生装置用の制御方法を得る様に成したものである。
【００１１】
【課題を解決するための手段】
本発明の画像記録再生装置及びその制御方法はスライドショーを表示装置にて再生する際に、装置本体に予め定めた文章ファイルが記載されたメモリカードを挿入させた状態で電源を投入するだけで再生を開始させることが出来る。
【００１２】
本発明の画像記録再生装置は、少なくとも画像データを記憶可能な外部記憶媒体が装着出来る挿入口を有する画像記録再生装置であって、画像記録再生装置の各回路を駆動する電源手段と、電源手段の投入及び外部記録媒体の挿入状態を制御する画像制御手段と、画像データを表示可能な表示手段とを具備し、画像制御手段の投入時に外部記憶媒体内に予め定めた文章ファイルを読みとって、外部記憶媒体内に記憶させた複数の画像を表示させて成るものである。
【００１３】
本発明の画像記録再生装置の制御方法は、少なくとも画像データを記憶可能な外部記憶媒体が装着された画像記録再生装置の制御方法であって、画像記録再生装置の各回路を電源手段で駆動し、電源手段の投入及び外部記憶媒体の挿入状態を画像制御手段で制御し、画像データを表示手段に表示する様に成し、画像制御手段は電源手段の投入時に外部記録媒体内に予め定めた文章ファイルを読みとって外部記憶媒体内に記憶させた複数の画像を表示手段に順次表示させて成るものである。
【００１４】
本発明に依れば店頭のデモストレーションを毎日行なう場合に、その都度再生処理プログラムを立ち上げて「スライドショー」を指示させなくてもメモリカードを装置本体に装着して、電源を投入すればスライドショーが自動的に開始されるので極めて便利な画像記録再生装置及びその制御方法が得られる。
【００１５】
【発明の実施の形態】
以下、本発明の画像記録再生装置及び画像記録再生装置の制御方法を図１乃至図６を用いて詳記する。
【００１６】
図１は本発明の画像記録再生装置の全体的システム構成図、図２はハードディスクを内蔵した画像記録再生装置（以下ハードディスク記録再生装置：ＨＤＤと記す）の系統図、図３はシステムを構成する画像源を取得するためのＣＳチューナの系統図である。
【００１７】
図１は、本発明の形態によるシステム構成例を示した図である。本例においては、テレビジョン放送を録画するＨＤＤ１００と、ＣＳ放送を受信するＣＳチューナ２００とを接続し、さらにテレビジョン受像機等の表示装置３００を接続する構成としてある。ＨＤＤ１００は、テレビジョン放送番組を録画し再生するハードディスクが内蔵された画像記録再生装置として構成し、このＨＤＤ１００には、地上波のテレビジョン放送を受信するチューナが内蔵された、例えば地上波用アンテナ９１を接続する。ＣＳチューナ２００は、ＣＳ放送を受信するチューナであり、例えばパラボラアンテナ９２を接続し、パラボラアンテナ９２に取付けられたコンバータ９３からＣＳ放送の受信波が供給される。
【００１８】
ＣＳチューナ２００は、２つのＣＳ放送サービスを受信するように構成し、ＣＳチューナ２００で受信されたテレビジョン放送（ＣＳ放送）の映像信号と音声信号を、それぞれケーブル８３、８４を介してハードディスク記録再生装置１００に送る。なお、２つの放送サービスは、電波を中継する通信衛星が異なる衛星であり、放送データの形式についても若干異なる。また、ＨＤＤ１００とＣＳチューナ２００は、それぞれの機器に用意されたデータ通信ポートをケーブル８５で接続して双方向に通信できるようにしてあり、ＣＳチューナ２００で受信された放送データなどをＨＤＤ１００に送ることができる。
【００１９】
ＨＤＤ１００では、内蔵された地上波のチューナで受信した地上波のテレビジョン放送番組のハードディスクへの記録と、接続されたＣＳチューナ２００で受信したＣＳ放送のテレビジョン放送番組のハードディスクへの記録とが行える。
【００２０】
本例の場合には、ＣＳチューナ２００で受信するＣＳ放送サービスは、デジタルデータ化された映像信号や音声信号が伝送されるデジタル放送サービスであり、これらのデータが伝送されるパケットには、ＥＰＧデータと称される電子番組データが付加されている。この電子番組データが付加されたパケットが、データ通信ポートを介してＣＳチューナ２００からＨＤＤ１００に送られる。
【００２１】
また、このデータ通信ポート間の接続で、ＨＤＤ１００側から、ＣＳチューナ２００の動作を制御するコントロール信号を送ることができる。このコントロール信号によるリモートコントローラ４００からの指令としては、ＣＳチューナ２００の電源オン・オフ指令や、チャンネル切換え指令、受信する放送サービスの切換え指令などがある。但し、受信する放送サービスの切換え指令は、接続されるＣＳチューナ２００の構成によっては不要である。また、直接的に動作を指示する指令ではなく、ＣＳチューナ２００の現在の動作状態を問い合わせる指令（例えば電源オン状態であるかスタンバイ状態であるかの問い合わせ）を送るようにしても良い。
【００２２】
また、ＨＤＤ１００が出力する映像信号と音声信号を、ケーブル８１、８２を介して表示装置３００に接続してある。表示装置３００では、ＨＤＤ１００には、ＣＳチューナ２００以外の映像信号を接続して、その映像信号源から供給される映像信号及び音声信号を、ハードディスクに記録することもできる。
【００２３】
次に、ＨＤＤ１００の構成を、図２を参照して説明する。ＨＤＤ１００に接続された地上波用アンテナ９１は、ＨＤＤ１００に内蔵された地上波用チューナ１０１に接続してあり、チューナ１０１で受信して得た地上波のテレビジョン放送の映像信号及び音声信号を、切換えスイッチ１１０の端子１１１に供給する。
【００２４】
地上波用チューナ１０１での受信チャンネルについては、このＨＤＤ１００のコントローラ（ＣＰＵ）１２１により制御される。チューナ１０１で受信する地上波は、アナログ放送波であるが、予め定められた特定のチャンネルについては、１日に数回、決められた時間に、映像信号のブランキング期間へのデータの重畳などで、電子番組表を表示させるためのＥＰＧデータを送るようにしてある。このＥＰＧデータは、そのＥＰＧデータが重畳されたチャンネルの案内だけでなく、その地域で受信可能なほとんどの地上波のチャンネルについての番組を案内するデータであり、チューナ１０１で受信されたＥＰＧデータについては、ＣＰＵ１２１に送られる。
【００２５】
切換えスイッチ１１０は、チューナ１０１の受信信号と、外部からの入力端子１３１，１３２，１３３，１３４に得られる信号とを切り換えるスイッチである。
入力端子１３１，１３２は第１の入力部として使用される映像信号の入力端子及び音声信号の入力端子であり、これらの入力端子に得られる信号を、切換スイッチ１１０の端子１１２に供給する。入力端子１３３，１３４は第２の入力部として使用される映像信号の入力端子及び音声信号の入力端子であり、これらの入力端子に得られる信号を、切換スイッチ１１０の端子１１３に供給する。これらの端子１１１，１１２，１１３，１１４に得られる映像信号，音声信号の内の、ＣＰＵ１２１の制御で選択された信号が、端子１１４に得られる。なお、図２では、映像信号と音声信号の供給や切換えなどが同時に行われる場合もあるが、これらを含めて図２では両信号の伝送路を１本の伝送線で示してある。
【００２６】
外部からの入力部の内の、第１の入力部（入力端子１３１，１３２）については、ＣＳチューナ２００で受信して出力する映像信号及び音声信号が供給される専用の入力端子として使用される。但し、ＣＳチューナを接続しない場合には、この第１の入力部に、その他の映像信号源を接続しても良い。
【００２７】
第２の入力部（入力端子１３３，１３４）については、このＨＤＤ１００で記録したい映像信号及び音声信号が出力される映像信号源が接続される。例えば、ＢＳチューナやビデオテープ記録再生装置などが接続される。
【００２８】
切換スイッチ１１０で選択された映像信号と音声信号（端子１１４に得られる信号）は、ＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）エンコーダ１０２に供給して、例えばＭＰＥＧ２方式で圧縮符号化されたデジタル映像データとデジタル音声データとする。このＭＰＥＧエンコーダ１０２に供給される信号は、アナログ信号であるので、アナログ信号をデジタルデータ化するデジタル変換についても、ＭＰＥＧエンコーダ１０２内（あるいは別体の回路）で行う。
【００２９】
ＭＰＥＧエンコーダ１０２で得られたＭＰＥＧ２方式の映像データ及び音声データは、記録再生処理部１０３に供給する。記録再生処理部１０３は、ハードディスク１０５に映像データや音声データなどを記録し再生するための処理を行う回路である。記録再生処理部１０３にはバッファメモリ１０４が接続してあり、このバッファメモリ１０４にデータを一時蓄積させながら、記録や再生を行うよう。なお、電子番組データについても、ＣＰＵ１２１の制御で、ハードディスク１０５に記録し再生する。ハードディスク１０５については、スピンドルモータにより高速回転させた状態で、ヘッドにより記録し再生する。例えば数十Ｇバイトの記録容量で、数十時間のテレビジョン放送信号を記録することが可能である。
【００３０】
ハードディスク１０５から再生されて、記録再生処理部１０３で処理された映像データ及び音声データは、ＭＰＥＧデコーダ１０６に供給して、ＭＰＥＧ２方式のデコードを行う。デコードされた映像データは、混合器１０７を介してＮＴＳＣエンコーダ１０８に供給し、ＮＴＳＣ方式のアナログ映像信号として、出力端子１３５に供給する。デコードされた音声データについては、デジタル／アナログ変換器１０９でアナログ音声信号に変換し、そのアナログ音声信号を出力端子１３６に供給する。この出力端子１３５，１３６が、図１のケーブル８１，８２で表示装置３００に接続される端子に相当する。
【００３１】
また、本例のＨＤＤ１００は、ＣＳチューナ２００と通信を行うためのデータ通信ポート１３７を備えている。このデータ通信ポート１３７でＣＳチューナ２００側から伝送されたデータの中から、インターフェース１２２で必要なデータを抽出して、ＣＰＵ１２１に送る構成とし、ＣＳチューナ２００側からＨＤＤ１００に送られるデータとしては、例えば電子番組データがある。また、ＣＰＵ１２１からＣＳチューナ２００側に送りたいデータ（図１の説明で述べた各種指令など）を、インターフェース１２２を介してデータ通信ポート１３７から出力させる。
【００３２】
ＨＤＤ１００を操作する指令については、操作キーやリモートコントローラ４００の受信部（受光部）１２９で構成される入力部１２３から供給される構成としてある。例えば、リモートコントローラ４００から赤外線信号で操作指令が入力部１２３の受光部１２９に届くと、その受信した指令をＣＰＵ１２１に送る。リモートコントローラ４００やキーの操作などによる指令としては、例えば直接的に電源投入，録画，再生，チャンネル切換えなどを指示する指令の他に、このＨＤＤ１００に接続された表示装置３００での表示を参照しながら、カーソルキーや確定キーなどの操作で多機能の操作を行う、いわゆるＧＵＩ（Ｇｒａｐｈｉｃａｌ  Ｕｓｅｒ  Ｉｎｔｅｒｆａｃｅ）操作の指令もある。
【００３３】
ＣＰＵ１２１は、このＧＵＩ操作のための画面を生成させる処理を行った場合、その生成された画面のデータを混合器１０７に送り、ＭＰＥＧデコーダ１０６が出力する映像データに混合して、出力端子１３５から出力される映像信号を、対応した画面に表示する映像信号となるようにしてある。
【００３４】
このＧＵＩ操作のための画面以外でも、このＨＤＤ１００で各種表示を行う必要がある場合には、ＣＰＵ１２１が同様にその表示画面のデータを生成させて、混合器１０７に送るようにしてある。これらの処理で表示される画面の例については、後述する。
【００３５】
またＣＰＵ１２１には、時計部１２４が接続してあり、時計部１２４で現在時刻（年月日，時分秒）をカウントした結果をＣＰＵ１２１で随時判断するようにしてある。この時計部１２４でカウントした日時をＣＰＵ１２１で判断して、予約された録画の実行などを行うようにしてある。時計部１２４でカウントする時刻については、ユーザ操作で設定や修正を行うようにしても良いが、チューナ１０１（又は接続されたＣＳチューナ２００）で受信した信号に基づいて、時刻を自動修正するようにしても良い。
【００３６】
また本例のＨＤＤ１００は、メモリカード１２６が着脱自在に装着可能なカードスロット用の挿入口１２５を備え、挿入口１２５に装着されたメモリカード１２６に記憶されたデータを、ＣＰＵ１２１が読み出して、各種処理が行えるようにしてある。例えば、装着されたメモリカード１２６に静止画像データや動画像データが記憶されている場合、その画像データをＣＰＵ１２１が読み出して混合器１０７側に送り、このＨＤＤ１００に接続された表示装置３００に表示させることができる。或いは、メモリカード１２６から読み出したデータを、ハードディスク１０５などに記録させても良い。
【００３７】
さらに本例のＨＤＤ１００は、インターネットに接続するためのポートを備えて、そのインターネット接続用ポートで接続された通信手段を介したデータのやり取りが、インターフェースを介してＣＰＵ１２１で行えるようにしてある。
【００３８】
インターネット接続用ポートについては、例えばインターネット接続用のルータやモデムと、所定のケーブルを介して接続できるようにしてある。このインターネット接続用ポートを介して所定のアドレスのサーバにアクセスして、電子番組データを取得することもできる。
【００３９】
ＣＰＵ１２１は、種々の処理により電子番組データを取得した場合に、その電子番組データを、ハードディスク１０５の一部の領域に保存して、その保存されたデータを活用して電子番組表の表示処理や、録画予約処理を行うようにしてある。ＣＰＵ１２１が取得する電子番組データとしては、内蔵されたチューナ１０１で受信した電子番組データと、接続されたＣＳチューナ２００からポート１３７を介して得られた電子番組データと、インターネットを介して取得した電子番組データの３種類があり、どの電子番組データを使用するかが予め設定で決められる。
【００４０】
なお、ＣＰＵ１２１には、不揮発性メモリ（図示せず）が接続してあり、各種設定事項を記憶するようにしてある。また、録画予約の情報についても、この不揮発性メモリに記憶させる。但し、不揮発性メモリを設けないで、ハードディスク１０５の一部の記録領域を代わりに使用しても良い。
【００４１】
次に、本例のＨＤＤ１００に接続されるＣＳチューナ２００の構成を、図３を参照して説明する。
【００４２】
ＣＳチューナ２００には、衛星放送波を受信するパラボラアンテナ９２を接続し、アンテナ９２のコンバータ９３から供給される信号の中から、受信するチャンネルのデータが含まれるパケットをチューナ２０１で受信処理する。受信するパケットの選択は、コントローラ（ＣＰＵ１）２１０により制御される。チューナ２０１で受信されたパケットは、ＱＰＳＫ（Ｑｕａｄｒａ  Ｐｈａｓｅ  Ｓｈｉｆｔ  Ｋｅｙｉｎｇ）復調部２０２に供給して、受信パケットのデータをＱＰＳＫ復調処理する。その復調されたデータを、エラー訂正部２０３に供給して、エラー訂正処理を行う。
【００４３】
エラー訂正された受信データは、デマルチプレクサ２０４に供給し、受信パケットの中から受信するチャンネルの映像データ，音声データ，その他のデータを選択する。その他のデータとしては、例えば電子番組データがある。この抽出処理は、ＣＰＵ１．２１０の制御に基づいて実行され、データ処理に必要なデータの一時記憶は、接続したバッファメモリ２０５で行う。
【００４４】
デマルチプレクサ２０４で出力された映像データと音声データは、ＭＰＥＧデコーダ２０６に供給し、ＭＰＥＧ−２方式で符号化された映像データと音声データにデコードする。ＭＰＥＧデコーダ２０６でデコードされた映像データは、混合器２０７を介してＮＴＳＣエンコーダ２０８に供給し、ＮＴＳＣ方式のアナログ映像信号として、出力端子２２１に供給する。デコードされた音声データについては、デジタル／アナログ変換器２０９でアナログ音声信号に変換し、そのアナログ音声信号を出力端子２２２に供給する。この出力端子２２１，２２２が、図１のケーブル８３，８４でＨＤＤ１００に接続される端子に接続されている。デマルチプレクサ２０４で抽出された電子番組データについては、ＣＰＵ１．２１０に送るようにしてある。
【００４５】
端子２２１から出力される映像信号については、ＣＰＵ１．２１０で生成された各種案内表示用の画像による映像信号である場合もある。即ち、ＣＰＵ１．２１０で生成された案内表示用の画像データを、混合器２０７に供給して、ＭＰＥＧデコーダ２０６が出力する映像データに重畳させて、ＮＴＳＣエンコーダ２０８に供給できる構成とする。この案内表示用の画像データとしては、例えば受信したチャンネルの信号に付加された電子番組データに基づいた電子番組表を表示させる画像データがある。
【００４６】
また、本例のＣＳチューナ２００は、ＨＤＤ１００と通信を行うためのデータ通信ポート２２３を備えている。このデータ通信ポート２２３は、専用のケーブル（図１に示したケーブル８５）で、ＨＤＤ１００側のデータ通信ポート１３７と接続される。このデータ通信ポート２２３を使用して送るための放送データを、デマルチプレクサ２０４からインターフェース２１１に送り、インターフェース２１１を介してデータ通信ポート２２３から出力させるようにする。本例の場合には、受信した放送データが含まれるパケットそのもの（即ち映像データ，音声データ，ＥＰＧデータなどが含まれたデータ）を、データ通信ポート２２３からＨＤＤ１００側に送るようにしてある。ＨＤＤ１００側では、その伝送されたパケットデータの中から、ＥＰＧデータだけを抽出出来るようにしてある。
【００４７】
また、データ通信ポート２２３を介してインターフェース２１１で、ＨＤＤ１００側から送られたデータ（各種指令など）を受信した場合には、そのデータをＣＰＵ１．２１０に送るようにする。また、ＣＰＵ１．２１０からインターフェース２１１を介してＨＤＤ１００側にデータを送る場合もある。
【００４８】
ＣＳチューナ２００を操作する指令については、操作キーやリモートコントロール信号の受光部で構成される入力部２１２から供給される構成とし、例えば、リモートコントローラ４００から赤外線信号で操作指令が入力部２１２に届くと、その受信した指令をＣＰＵ１．２１０に送る。
【００４９】
また、このＣＳチューナ２００は、ユーザの登録情報や視聴記録などの受信契約に関するデータを保持するＩＣカード２１３が装着される構成で、このＩＣカード２１３に記憶された情報に基づいて、ＣＰＵ１．２１０が有料チャンネルの受信などの処理を行うようにしてある。
【００５０】
さらに、このＣＳチューナ２００には、電話回線の接続端子を備え、ＣＰＵ１．２１０からインターフェースを介して、端子に接続された電話回線側に、データを送ることができる。この電話回線を介して送るデータとしては、有料チャンネルの視聴記録などの受信契約に関するデータがある。
【００５１】
なお、本例のＣＳチューナ２００は、既に説明したように、２つの放送サービス（サービスＡとサービスＢ）の受信が可能であり、それぞれの放送サービス毎に受信する衛星が異なるが、サービスＡのチャンネルを受信している状態から、サービスＢのチャンネルに切り換える場合（或いはその逆の場合）には、チューナの構成上、衛星切換え操作を行った後に、チャンネル切換え操作が必要な形式のチューナと、チャンネル切換え操作だけで放送サービスが自動的に切換わるチューナの、２つの形式のものが存在する。チャンネル切換え操作が必要な形式のチューナは、比較的古い形式のチューナに多く存在する。
【００５２】
次に、以上説明した構成のＨＤＤ１００とＣＳチューナ２００とを図１に示すように接続して、ＨＤＤ１００で記録（録画）や再生を行うためユーザは、例えば、ＨＤＤ１００に付属するリモートコントローラにより制御を行う。具体的には、ＨＤＤ１００の出力端子１３５から出力される映像（ＧＵＩ操作用の映像）を表示装置３００で表示させた状態で、リモートコントローラ４００の上下左右釦や決定釦などの操作で各項目の入力を行うようにしてある。
【００５３】
上述のシステム構成に於いて、図４は図１及び図２に示すＨＤＤ１００を縦型に立設させた斜視図、図５はリモートコントローラ（以下リモコンと記す）の操作釦を説明するための平面図、図６及び図７は本発明の画像記録再生装置に挿入されるメモリカード内に記憶させた画像を表示装置に表示させる手順を説明するための表示画面図、図８は本発明の画像記録再生装置及び画像記録再生装置の制御方法を説明するフローチャートである。
【００５４】
本発明に用いるメモリカードはデジタルカメラで撮像した画像、ＣＰＵのハードディスクから取得した画像、ＣＳ（ＢＳ）チューナから取得した画像、  ＶＨＦ（ＵＨＦ）チューナから取得した画像、インターネットから取得した画像、ＣＤ等の記録画像から取得した画像等の静止画像をＪＰＥＧ（Ｊｏｉｎｔ  ＰｈｏｔｏｇｒａｐｈｉｃＥｘｐｅｒｔｓ  Ｇｒｏｕｐ）形式の符号データに変換した複数の画像が記憶されている。再生時にはＪＰＥＧ符号データを復号して、表示装置３００に表示する様に成されている。
【００５５】
この様なメモリカード１２６内に記憶された画像を見る場合には表示装置３００の電源を入れ、ＨＤＤ１００に接続した入力に切り換えて、ＨＤＤ１００の電源釦を「オン」にするか、図１及び図５に示すリモコン４００の電源釦４０１が押圧されて、電源「オン」の指令が出されると、赤外線等の指令信号をセンサ１２９が受けてＣＰＵ１２１は電源部１２７の電源スイッチ１２８を「オン」にする。勿論、この場合リモコン４００のセンサ系路はバックアップされている。
【００５６】
次に、図４に示したＨＤＤ１００のメモリカード１２６の挿入口１２５内にメモリカード１２６を挿入する。
【００５７】
次に、リモコン４００にある図５に示すリモコン４００のメニュー釦４０２を押圧すると図６（Ａ）に示す様に表示装置３００の画面３０１にメニュー画面３０２が表示される。
【００５８】
次のステップでは図５に示すリモコン４００の上下左右釦４０３でメニュー画面３０２の「メモリカード」の項目３０３を選択する。更にリモコン４００の決定釦４０４を押圧することで図６（Ｂ）に示す様なサムネル画像３０４が表示装置３００の画面３０１に表示される。
【００５９】
次のステップではサムネル画像３０４から上下左右釦４０３で自分の見たい静止画像を選択して、決定釦４０４を押圧すると図６（Ｃ）に示すサブメニュー３０５が表示される。このサブメニューの「表示」の項目３０６を選択し、決定釦４０４を押圧すれば図６（Ｄ）の様に表示装置の画面３０１上に全画面３０７が表示される。
【００６０】
表示装置に表示された静止画像表示を閉じるには図５で示したリモコン４００のライブ釦４０５を押圧し、静止画像一覧画面に戻すには戻る釦４０６を押圧し、他の静止画面を見るには上下左右釦４０３を押圧して所定の静止画像位置に切り換え、全画面３０７が表示装置に表示されている時には画面表示釦４０７を押圧することでファイル名やファイルの更新日付けなどを表示させることが出来る。
【００６１】
次にメモリカードに記憶されている静止画像を自動的に切り換えながら見るスライドショーで表示装置３００の画面を見る場合を図７（Ａ）（Ｂ）の表示画面に基づいて説明する。
【００６２】
上述の図６（Ａ）及び図６（Ｂ）に至る手順で図５（Ｂ）に示すサムネル画像３０４を表示装置３００の画面３０３に表示させる。
【００６３】
次のステップでは図５に示すリモコン４００のツール釦４０８を押圧すると、図７（Ａ）に示す様にサムネル画面３０４上にツールメニュー３０６が表示される。
【００６４】
次にツールメニュー３０６の「スライドショー」の項目３０８をリモコン４００の上下左右釦４０３で選択し、決定釦４０４を押圧すれば表示装置３００の画面３０１上に自動的にスライドショーが開始される。
【００６５】
このスライドショーを停止させるにはリモコンの戻る釦４０６を押圧させればよい。この戻り釦４０６を押圧することで表示装置３００の画面３０１にはサムネル画面３０４が表示される。
【００６６】
次にスライドショーの静止画像の切り換わるタイミングを変えたり、スライドショーを繰り返さない様な設定を行なう設定方法を図７（Ｂ）に依って説明する。
【００６７】
スライドショーの設定方法としては図６（Ａ）及び図６（Ｂ）に至る手順で説明したと同様に図６（Ｂ）に示すサムネル画像３０４を表示し、リモコン４００のツール釦を押圧すると図７（Ａ）の様にツールメニュー３０６が表示される。次に上下左右釦４０３を用いて「スライドショー設定」の項目を選択し、決定釦４０４を押圧する。
【００６８】
次に、リモコン上下左右釦４０３に依って、図７（Ｂ）に示すスライドショー設定項目のメニューが表示される。ここで間隔の項目３１１を選択して、決定釦４０４を押圧すると間隔時間の項目３１０が表示される。１０秒、３０秒、１分、５分の間隔時間の中から上下左右釦４０３で１分を選択すれば約１分毎に静止画像が切り換わる様に成される。出荷時には約１０秒毎に静止画像が切り換わる様に設定されている。ここで１分を選択した後に設定釦４０４を押圧すれば間隔時間は１分に設定される。
【００６９】
また、繰り返しの項目３０９を選択した場合には「入」「切」が表示され、「入」の場合はサムネル画面３０４の最後の静止画面を表示したら、最初の静止画面から繰り返し、「切」の選択では最後の静止画面を表示すると、スライドショーが終了する様に成される。この繰り返し再生を停止させるには戻る釦４０６を押圧することで繰り返し再生を止めることが出来る。
【００７０】
上述の様に本発明ではスライドショーの再生及び設定を行なうことが出来るが、例えば店頭でデモンストレーション等を行なう場合には毎日スライドショーを見せるために図６（Ａ）及び図６（Ｂ）の処理と図７（Ａ）の処理を行なわなくてはならずかなり煩雑となる。
【００７１】
そこで、本発明の画像記録再生装置ではメモリカード１２６内に予め定められた文書ファイルをテキスト或はバイナリ形式で記録しておく、例えば、「デモンストレーション」等のファイル名が記録されていれば、ＨＤＤ１００内のＣＰＵ１２１は電源投入時にこのファイル名を読み取って、自動的にスライドショーを再生し表示装置に表示を行なう様に構成する。
【００７２】
そのため、「デモンストレーション」のファイル名の記録されたメモリカード１２６を予めＨＤＤ１００の挿入口１２５に挿入して置く。また、図１で示す様にチャンネルサーバとして機能するＣＳチューナ２００及びＨＤＤ１００並びに表示装置３００は例えば、ＨＤＤ１００の主電源を投入するとＣＳチューナ２００及び表示装置３００も連動して主電源が投入されるものとして説明を進める。実際にはＣＳチューナ２００とＨＤＤ１００が連動されていればチャンネルサーバとしては充分である。
【００７３】
上述の条件で図８のフローチャートにより、本発明の自動スライドショーを行なうＣＰＵ１２１の動作を説明する。
【００７４】
図８の第１ステップＳＴ１ではリモコン４００の電源釦４０１を押圧するかＨＤＤ１００の電源スイッチ（図２、図４参照）１２８を手動操作で主電源「オン」にする。
【００７５】
第２ステップＳＴ２ではＣＰＵ１２１がメモリカード１２６のファイル名の内容を読みに行く装置起動処理である。
【００７６】
この時、自動的にスライドショーを行なうかを第３ステップＳＴ３で行なう。この自動的にスライドショーを行なうか否かを判断するためにＣＰＵ１２１は予め定められたファイル名、例えば「デモンストレーション」、「ＤＥＭＯ，ＭＯＤＯ」等がメモリカード１２６のファイルにあるか否かをみて、予め定められたファイル名があるＹＥＳであれば第４ステップＳＴ４の様に自動的にメモリカード１２６内に記録された複数の静止画面を所定間隔で順次再生させて表示装置３００に表示するスライドショーを自動的に実施する。
【００７７】
第３ステップＳＴ３で予め定めたファイル名が無いＮＯであれば第５ステップＳＴ５に進められて、通常の動作に遷移する。
【００７８】
図８の第４ステップＳＴ４でスライドショーの再生を行なっているとき、特定の操作（電源釦を押圧する）することで通常動作に戻る。
【００７９】
図８の例では通常の動作を行なっている状態でＨＤＤ１００を第６ステップＳＴ６の様にスタンバイ状態にすると、ＨＤＤ１００を第７ステップＳＴ７の様にスタンバイから復帰させるときに起動時と同様に第３ステップＳＴ３に戻されて、自動でスライドショーを行なうメモリカード１２６が挿入されているかの判断を行なって、メモリカードにファイル名の記録があれば第４ステップＳＴ４でスライドショーを自動的に表示装置３００に表示する様に成されている。
【００８０】
上述の図８ではＨＤＤ１００をスタンバイ状態から復帰させる場合を説明したが、ＨＤＤ１００のリセット或はスタート状態からの復帰に於いても第３ステップＳＴ３の判断を行なう様に構成する。
【００８１】
上述では文章ファイル形式をテキストファイル及びバイナリファイルで説明したが、他のＨＴＭＬ（Ｈｙｐｅｒ  Ｔｅｘｔ  Ｍａｒｋ  Ｕｐ）やＰＤＦ（Ｐｏｔａｂｌｅ  Ｄｏｃｕｍｅｎｔ  Ｆｏｒｍａｔ）、ＲＴＦ（リッチテキスト）等であってもよく、勿論、拡張子の付加を行なって所定のファイル名を記憶させる様にしてもよい。
【００８２】
この様に構成させて置けば店頭でのデモンストレーション用のスライドショーを再生する場合には毎日朝方に電源を入れるだけで自動的にスライドショーが開始されて、スライドショーを行なう煩雑な操作を省略することが出来る。
【００８３】
【発明の効果】
本発明の画像記録再生装置及び画像記録再生装置の制御方法に依れば、自動スライドショーを行なうメモリカードを機器本体の挿入口１２５に挿入した状態で装置本体の電源を投入するだけで自動的にスライドショーが開始されるため、店頭のデモンストレーションの場合、毎日、スライドショーを行なう設定が省略出来て、便利なものが得られる。
【図面の簡単な説明】
【図１】本発明のチャンネルサーバとしての全体的システム構成図である。
【図２】ハードディスクを内蔵したチャンネルサーバ用の画像記録再生装置の系統図である。
【図３】チャンネルサーバシステムを構成するＣＳチューナの系統図である。
【図４】本発明の画像記録再生装置の斜視図である。
【図５】本発明のチャンネルサーバに用いるリモートコントローラの平面図である。
【図６】本発明の静止画像を見るための操作説明図である。
【図７】本発明の表示装置にメモリカードに記憶させた静止画像をスライドショーさせる場合の操作説明図である。
【図８】本発明のスライドショーを再生するため動作説明用フローチャートである。
【符号の説明】
１００‥‥画像記録再生装置（ＨＤＤ）、１２１‥‥コントローラ（ＣＰＵ）、１２６‥‥メモリカード、１２７‥‥電源部、１２８‥‥電源スイッチ、２００‥‥ＣＳチューナ、３００‥‥表示装置、３０１‥‥画面、３０４‥‥サムネル画面、４００‥‥リモートコントローラ（リモコン）、４０１‥‥電源釦、４０３‥‥上下左右釦、４０４‥‥決定釦
【図１】
2004336682.tif 000003
【図２】
2004336682.tif 000004
【図３】
2004336682.tif 000005
【図４】
2004336682.tif 000006
【図５】
2004336682.tif 000007
【図６】
2004336682.tif 000008
【図７】
2004336682.tif 000009
【図８】
2004336682.tif 000010